(57)【要約】【課題】引き出し棚を貯蔵室の後方へ収納する際に、該棚に載置された収納物が貯蔵室の天井面の後部に設けられた凸部に接触することがなく、貯蔵物の転倒や半ドアを防ぐことができる冷蔵庫を提供する。【解決手段】貯蔵室１６の天井面１６ａの後部に設けられた下方へ突出する凸部１７と、天井面１６ａの下方に前後方向へ引き出し可能に配設され天井面１６ａとの間に収納空間を区画する引き出し棚２０と、引き出し棚２０の後部上方を覆うカバー部材４０とを備え、引き出し棚２０が貯蔵室１６の後方に収納された状態において、カバー部材４０が凸部１７の下方に配置されている。【選択図】    図３
2015105757.tif 000002
【特許請求の範囲】
【請求項１】
貯蔵室の天井面の後部に設けられた下方へ突出する凸部と、前記天井面の下方に前後方向へ引き出し可能に配設され前記天井面との間に収納空間を区画する引き出し棚と、前記引き出し棚の後部上方を覆うカバー部材とを備え、
前記引き出し棚が前記貯蔵室の後方に収納された状態において、前記カバー部材が前記凸部の下方に配置されている冷蔵庫。
【請求項２】
前記カバー部材は、前記引き出し棚の上方を区画する棚天井部を備え、
前記引き出し棚が前記貯蔵室の後方に収納された状態において、前記棚天井部の前端が、前記凸部の前端より前方、又は前記凸部の前端と前後方向に同じ位置に配置されている請求項１に記載の冷蔵庫。
【請求項３】
前記引き出し棚と前記カバー部材とが別部材から構成されている請求項１又は２に記載の冷蔵庫。
【請求項４】
前記カバー部材が透明である請求項１〜３のいずれか１項に記載の冷蔵庫。
【請求項５】
前記カバー部材は、前記引き出し棚の上方及び背面の少なくとも一方に通気口を備える請求項１〜４のいずれか１項に記載の冷蔵庫。
【請求項６】
前記引き出し棚の前面に手掛け部を備える請求項１〜５のいずれか１項に記載の冷蔵庫。
【請求項７】
前記引き出し棚は、ガラス製の棚板と、前記棚板の周囲に設けられた樹脂製のフレームとを一体成形して構成される請求項１〜６のいずれか１項に記載の冷蔵庫。
【請求項８】
前記引き出し棚は、前記貯蔵室の前端より前方へ突出しない請求項１〜７のいずれか１項に記載の冷蔵庫。
【発明の詳細な説明】
【技術分野】
【０００１】
本発明の実施形態は、冷蔵庫に関する。
【背景技術】
【０００２】
貯蔵室の天井面の下方に配設され該天井面との間に収納空間を区画する棚を備えた冷蔵庫が知られており、このような冷蔵庫において、使い勝手を考慮して貯蔵室に配設した棚を前後方向へ引き出し可能な引き出し棚に設けることがある。
【０００３】
ところで、貯蔵室の背面上部には、貯蔵室内を循環させる冷気を生成する蒸発器や生成した冷気を貯蔵室内に切り替えて供給するためのダンパやダクト等を配設する空間が設けられており、棚の上方に位置する貯蔵室の天井面から下方に凸部が突出していることがあり天井面が必ずしも平坦ではない（例えば、下記特許文献１参照）。
【０００４】
そのため、引き出し棚を前方に引き出した状態で収納物を載置した後、該棚を貯蔵室の後方へ収納する際に、載置された収納物が貯蔵室の天井面から突出する凸部に接触して、収納物が転倒したり、貯蔵室扉が完全に閉扉しない半ドア状態になるおそれがある。
【先行技術文献】
【特許文献】
【０００５】
【特許文献１】特開平４−１６５２８４号公報
【発明の概要】
【発明が解決しようとする課題】
【０００６】
そこで、貯蔵室の下方に前後方向へ引き出し可能に配設され天井面との間に収納空間を区画する引き出し棚を備える冷蔵庫において、貯蔵室の天井面の後部に凸部が下方へ突出していても、引き出し棚を貯蔵室の後方へ収納する際に、該棚に載置された収納物が貯蔵室の凸部に接触することがなく、貯蔵物の転倒や半ドアを防ぐことができる冷蔵庫を提供することを目的とする。
【課題を解決するための手段】
【０００７】
実施形態に係る冷蔵庫は、貯蔵室の天井面の後部に下方へ突出する凸部と、前記天井面の下方に前後方向へ引き出し可能に配設され前記天井面との間に収納空間を区画する引き出し棚と、前記引き出し棚の後部上方を覆うカバー部材とを備え、前記引き出し棚が前記貯蔵室の後方に収納された状態において、前記カバー部材が前記凸部の下方に配置されている。
【図面の簡単な説明】
【０００８】
【図１】実施形態に係る冷蔵庫扉を省略した冷蔵庫の断面図である。
【図２】図１の冷蔵庫の要部拡大図である。
【図３】図１の冷蔵庫の引き出し棚を引き出した状態における要部拡大断面図である。
【図４】実施形態に係る冷蔵庫の引き出し棚及びカバー部材の斜視図である。
【図５】実施形態の変更例に係る冷蔵庫の引き出し棚及びカバー部材の斜視図である。
【発明を実施するための形態】
【０００９】
以下、図面に基づき一実施形態に係る冷蔵庫について説明する。
【００１０】
冷蔵庫扉を省略した冷蔵庫１０の断面図である図１に示すように、外郭を形成する外箱と貯蔵空間を形成する内箱との間に発泡断熱材を充填した断熱箱体からなる冷蔵庫本体１１を備える。冷蔵庫本体１１の内部に形成される貯蔵空間は、仕切壁１２によって上方の冷凍貯蔵室１４と下方の冷蔵貯蔵室１６とに区画されており、冷凍貯蔵室１４及び冷蔵貯蔵室１６の前面開口部がそれぞれ不図示の冷蔵庫扉によって閉塞されている。
【００１１】
冷凍貯蔵室１４は、冷凍温度（例えば、−１８℃以下）に冷却される空間であり、その背部に蒸発器１８を収納する蒸発器室１９が設けられている。
【００１２】
仕切壁１２は、冷蔵庫本体１１の内部に形成される貯蔵空間を上下に断熱区画しており、仕切壁１２の上面が冷凍貯蔵室１４の底面を構成し、仕切壁１２の下面が冷蔵貯蔵室１６の天井面１６ａを構成している。
【００１３】
仕切壁１２の下面後部、つまり、冷蔵貯蔵室１６の天井面１６ａの後部には、下方へ突出する凸部１７が設けられ、仕切壁１２の前部に比べて厚みが大きくなっている。仕切壁１２の内部には、蒸発器室１９に連通するダクト２１が配設され、仕切壁１２の後部の凸部１７の内部には、不図示の送風ファン及び切替ダンパが配設されており、送風ファン及び切替ダンパを制御することで蒸発器室１９で生成された冷気を、仕切壁１２の上方に区画された冷凍貯蔵室１４と下方に区画された冷蔵貯蔵室１６とに切り替えて導入するようになっている。
【００１４】
冷蔵貯蔵室１６は、冷蔵温度（例えば、２〜４℃）に冷却される空間であって、上部に引き出し棚２０が設けられ、下部に載置棚を兼ねた仕切板２２が設けられている。引き出し棚２０と仕切板２２との間には複数の載置棚２５が配設され、仕切板２２と冷蔵貯蔵室１６の底部との間には冷蔵庫本体１１に対して前後方向に摺動可能に設けられた引き出し容器１５が配設されている。
【００１５】
引き出し棚２０は、冷蔵貯蔵室１６の天井面１６ａの下方に前後方向へ引き出し可能に配設され、天井面１６ａとの間に収納空間を区画されている。引き出し棚２０の後部上方はカバー部材４０で覆われている。
【００１６】
より詳細には、図４に示すように、引き出し棚２０は、収納物が載置される棚板２４と、棚板２４の周囲を取り囲むように設けられたフレーム２６とを備え、本実施形態では、透明なガラス板からなる棚板２４の周囲に合成樹脂製のフレーム２６が一体成形されている。
【００１７】
フレーム２６は、前部に使用者が引き出し棚２０を出し入れするための手掛け部２８が設けられ、左右両側部に冷蔵貯蔵室１６に摺動突起３０が設けられている。この摺動突起３０が、冷蔵庫本体１１の内箱の左右側面から突出するガイドレール３２（図２、３参照）に前後方向に摺動可能に支持されることで、引き出し棚２０が、出し入れ可能に冷蔵貯蔵室１６に対して支持される。
【００１８】
ガイドレール３２の前端部にはストッパが上方へ突出しており、引き出し棚２０の前端が冷蔵貯蔵室１６の前端に前後方向に一致する位置まで引き出されると、フレーム２６に設けられた摺動突起３０の後端部にストッパが係止して引き出し棚２０が更に前方へ移動するのを防止する。つまり、引き出し棚２０は、ストッパによって冷蔵貯蔵室１６の前端より前方へ突出しないように前方への移動が制限される。
【００１９】
カバー部材４０は、引き出し棚２０の後部においてフレーム２６の左右側部及び後部から上方に立ち上がる側壁部４１及び後壁部４２と、側壁部４１及び後壁部４２の上端に連続して引き出し棚２０の棚板２４に略平行に設けられた棚天井部４３とを備え、前面が開口している。これにより、引き出し棚２０の後部においてカバー部材４０で覆われた空間が、引き出し棚２０の前部において棚板２４と冷蔵貯蔵室１６の天井面１６ａとで挟まれた空間と、カバー部材４０前面に設けられた開口を介して連通している。
【００２０】
カバー部材４０は、例えば、側壁部４１、後壁部４２及び棚天井部４３が透明な樹脂成形により一体に成形されており、引き出し棚２０とは別部材から構成されている。
【００２１】
カバー部材４０は、図１及び２に示すように、引き出し棚２０が冷蔵貯蔵室１６の後方に収納された状態において、冷蔵貯蔵室１６の天井面１６ａに設けられた凸部１７の下方に配置されており、棚天井部４３の前端が、凸部１７の前端より前方、又は凸部１７の前端と前後方向に同じ位置まで設けられている。
【００２２】
以上の本実施形態の冷蔵庫１０では、引き出し棚２０が冷蔵貯蔵室１６の後方に収納された状態において、引き出し棚２０の後部上方を覆うカバー部材４０が、冷蔵貯蔵室１６の天井面１６ａに設けられた凸部１７の下方に配置されているため、引き出し棚２０を冷蔵貯蔵室１６の後方へ収納する際に凸部１７と接触する貯蔵物の大きさ（高さ）を使用者が認識することができる。
【００２３】
しかも、本実施形態では、カバー部材４０の棚天井部４３の前端が、凸部１７の前端より前方、又は凸部１７の前端と前後方向に同じ位置まで設けられているため、引き出し棚２０を冷蔵貯蔵室１６の後方へ収納する際に凸部１７と接触するような貯蔵物の棚板２４への載置を制限することができ、収納物の転倒を防止したり、貯蔵室扉が半ドア状態になるのを防止することができる。
【００２４】
また、本実施形態では、引き出し棚２０は、凸部１７の前方にカバー部材４０が配置されていない領域が存在するため、棚板２４と冷蔵貯蔵室１６の天井面１６ａとで挟まれた上下方向に広い空間を収容空間として効率的に利用することができる。
【００２５】
更に、本実施形態では、引き出し棚２０とカバー部材４０とを別部材から構成しているため、引き出し棚２０及びカバー部材４０を製造しやすい。
【００２６】
また、引き出し棚２０とカバー部材４０とを別部材の着脱可能な部材とすることで、引き出し棚２０及びカバー部材４０を洗浄する場合に、引き出し棚２０からカバー部材４０を取り外して別々に洗うことができるため効率的に洗浄することができる。
【００２７】
更に、カバー部材４０が透明であるため、光がカバー部材４０を透過してカバー部材４０の下方に収納された収納物まで届くので、収納物の視認性が良い。
【００２８】
なお、本実施形態では、カバー部材４０が、引き出し棚２０の後部の左右側面、背面、及び上面を閉塞する場合について説明したが、図５に例示するように、側壁部４１、後壁部４２及び棚天井部４３を貫通する通気口４４を設けてもよい。このようにカバー部材４０に通気口４４を設けることで、冷蔵貯蔵室１６内の冷気が引き出し棚２０の上方を流通しやすくなり、引き出し棚２０に載置された貯蔵物の冷却効率を高めることができる。
【００２９】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００３０】
１０…冷蔵庫、１１…冷蔵庫本体、１２…仕切壁、１４…冷凍貯蔵室、１６…冷蔵貯蔵室、１６ａ…天井面、１７…凸部、１８…蒸発器、１９…蒸発器室、２０…引き出し棚、２１…ダクト、２２…仕切板、２４…棚板、２５…載置棚、２６…フレーム、３０…摺動突起、３２…ガイドレール、４０…カバー部材、４１…側壁部、４２…後壁部、４３…棚天井部、４４…通気口
【図１】
2015105757.tif 000003
【図２】
2015105757.tif 000004
【図３】
2015105757.tif 000005
【図４】
2015105757.tif 000006
【図５】
2015105757.tif 000007